(57)【要約】      （修正有）【課題】組立効率を向上することができ、本発明のフレーム本体コンポーネント構造が単純で、しかもコストを大幅に軽減できるメガネフレームの構造を提供する。【解決手段】フレーム本体１０と、レンズ本体２０を互いに組み合わせて構成される。本発明の独特な創造的設計によれば、フレーム本体１０のフレーム台１１を弾塑性部材によって仕上げることによって、弾性に広げることができ、メス締め金単元１２の締結空間を横方向へ弾性に広げて、２つの締結空間と、レンズ本体２０にある２つのオス締め金部２２１の２点に対向する締め付け余裕を構成され、中央固定部とを合わせて３点に連結固定することによって、フレーム本体１０と、レンズ本体２０を組み立てる。【選択図】図５
2018081126.tif 000002
【特許請求の範囲】
【請求項１】
フレーム本体と、レンズ本体と、を備えるメガネフレームの構造であって、
前記レンズ本体は弾塑性部材から仕上げるフレーム台と、前記フレーム台の両末端に延在するテンプルとを含む、前記フレーム台の中央部は下向きに中間取付部を延在していて、かつ、中間取付部は下向きに制限溝を開け、前記制限溝内部の所定位置に固定溝を設け、前記フレーム台の両側にそれぞれメス締め金単元を釣り合って設け、前記各メス締め金単元の内部に縦方向の開放形態の締結空間を形成し、前記締結空間に傾斜状の誘導面を内設し、前記誘導面の対向位置にメス締め金部を設け、
前記レンズ本体の上方に上端部を設け、前記上端部の中央位置が前記フレーム本体の前記フレーム台の固定溝に対応して固定部を設けることによって、前記レンズ本体の前記上端部の中央位置をちょうど前記フレーム台の制限溝に嵌め込み、前記固定部を前記固定溝に締結して結合固定し、前記レンズ本体の前記上端部は、前記フレーム台２つのメス締め金単元に対応する位置に、２つのオス締め金単元をそれぞれ釣り合って設け、前記各オス締め金単元の一側に斜面を設けていて、かつ、前記各オス締め金単元の他側にオス締め金部を設け、前記オス締め金部の上面に案内斜面を形成し、前記オス締め金部の底面に嵌め込み係合面を形成し、前記フレーム台が弾塑性部材によって弾性に広げられ、前記メス締め金単元の前記締結空間を横方向に広げて拡大し、前記２つの締結空間と、前記２つのオス締め金部との締結余裕度を増やせると共に、前記レンズ本体の前記２つのオス締め金単元の斜面と、前記メス締め金単元の前記誘導面が表面接触による滑り働きによって、前記オス締め金部を順調に前記メス締め金部に嵌め込むことができ、前記レンズ本体の前記オス締め金部が弾性に元位置に戻した後に前記レンズ本体の前記オス締め金部をさらに嵌め合わせて、前記フレーム本体の前記メス締め金部に嵌め込むことを特徴とする、メガネフレームの構造。
【請求項２】
前記フレーム本体の弾塑性フレーム台は、超弾性記憶樹脂ＴＲ９０部材から仕上げることを特徴とする、請求項１記載のメガネフレームの構造。
【請求項３】
前記フレーム本体の前記メス締め金単元にある前記メス締め金部の底部に誘導面を形成し、前記メス締め金部の上部に嵌め合わせ面を形成し、前記レンズ本体の前記オス締め金単元の前記オス締め金部の上面に案内斜面を形成していて、かつ、前記オス締め金部の底部に嵌め込み係合面を形成して、前記オス締め金部と、前記メス締め金部が相互に嵌め合わせた状態において、前記オス締め金部の前記案内斜面を前記メス締め金部の前記誘導面に誘導し滑らせて、前記オス締め金部の嵌め込み係合面を前記メス締め金部の前記嵌め合わせ面に嵌め合わせて固定することを特徴とする、請求項１記載のメガネフレームの構造。
【請求項４】
前記フレーム本体の前記フレーム台が前記２つのメス締め金単元の前記締結空間に対応する位置に、第１貫通孔をそれぞれ設け、前記第１貫通孔の前段場所に径の大きい第１段差溝を設け、前記レンズ本体の前記オス締め金単元が前記第１貫通孔の位置に対応して、第２貫通孔を設け、前記第２貫通孔の末端に径の大きい第２段差溝を設けることによって、前記フレーム本体と、前記レンズ本体を相互に結合した状態において、前記第１貫通孔と、前記第２貫通孔を弾塑性部材から仕上げる固定素子に嵌め込みさらに固定し、前記固定素子がヘッド端を含む、前記ヘッド端の一端に外径を縮小した連結柱を設け、前記連結柱の径方向に圧縮切り欠きを開け、前記連結柱の末端は、前記圧縮切り欠きに対応して、締結端を設け、前記固定素子の前記連結柱が内側に前記圧縮切り欠きを圧縮し、前記締結端を縮小し、前記第１貫通孔と、前記第２貫通孔に進入した後、前記締結端を前記第２貫通孔の前記第２段差溝に締結して、弾性に広げて固定され、前記固定素子の前記ヘッド端を前記第１貫通孔の前記第１段差溝に制限することを特徴とする、請求項１記載のメガネフレームの構造。
【請求項５】
前記弾塑性固定素子は、超弾性記憶樹脂ＴＲ９０部材から仕上げることを特徴とする、請求項４記載のメガネフレームの構造。
【発明の詳細な説明】
【技術分野】
【０００１】
本発明はメガネフレームの構造に関し、特にメガネフレームのコンポーネントを単純で、レンズを高速に組み立てることができ、しかもコンポーネントコストを軽減できる構造に関する。
【背景技術】
【０００２】
図１〜２、公知のメガネフレームの構造を参照する。主にメガネＡにフレームＡ１と、レンズＡ２と、連結コンポーネントＡ１７とを互いに組み付けて構成される。そのうち、フレームＡ１がレンズ台Ａ１１と、レンズ台Ａ１１の両末端に延在する２つのテンプルＡ１６とを含む、レンズ台Ａ１１上端の区域に組付け区域Ａ１２を設け、組付け区域Ａ１２の中央部にレンズＡ２の中央部を当接する上端面と、側面の横方向係止台Ａ１４と、縦方向係止台Ａ１５とを設けており、かつ、組付け区域Ａ１２の表面に複数の組付け孔Ａ１３を敷設され、レンズＡ２中央部前面の所定位置に嵌め込み突起部Ａ２１を凸設し、連結コンポーネントＡ１７が嵌め込み突起部Ａ２１に対応して、取り付け嵌め合せ溝Ａ１８を設けることによって、取り付け嵌め合せ溝Ａ１８を合わせて、嵌め込み突起部Ａ２１に固定して嵌め込む、連結コンポーネントＡ１７がレンズ台Ａ１１それぞれの組付け孔Ａ１３に対応して複数の固定突起柱Ａ１９を設け、連結コンポーネントＡ１７それぞれの固定突起柱Ａ１９を組付け区域Ａ１２の組付け孔Ａ１３位置にちょうど合わせることによって、レンズＡ２をフレームＡ１と結合された連結コンポーネントＡ１７との間に固定できる。これに対して、公知のフレームＡ１の構造が複雑で、しかも構成部品が多くあり、業者のコスト負担になりやすい上、公知のフレームＡ１が解体しやすく、使用者の顔部に傷つける恐れがある。前記公知技術の構造に存在する問題点について、より理想で実用的の斬新機構を開発することが消費者の望むことであり、業者の研究開発の目標と方向である。
【発明の概要】
【発明が解決しようとする課題】
【０００３】
本発明の主な目的は、メガネフレームの構造を提供する。解決しようとする問題点は、公知のメガネフレームの構造に残された構造が複雑で、構成部品が多く、業者のコスト負担となるばかりでなく公知のフレームが解体しやすく、使用者の顔部に傷つける恐れがある点について改良を図る。
【課題を解決するための手段】
【０００４】
本発明の問題解決に関わる技術特徴は、主にフレーム本体と、メス締め付け金単元と、レンズ本体と、オス締め金単元と、を備える。フレーム本体は弾塑性部材より仕上げるフレーム台と、フレーム台の両末端から延在するテンプル、とを含む、フレーム台の中央部から下方に中間取付部を延在し、中間取付部は下向きの制限溝を開け、制限溝内部の所定位置に固定溝を設ける。さらに、フレーム台の両側にそれぞれメス締め金単元を釣り合って設け、各メス締め金単元の内部は縦方向開放空間形態の締結空間を有する。そのうち、締結空間を斜めに誘導面を内設し、誘導面の対向位置にメス締め金部を設ける。レンズ本体の上方に上端部を設け、上端部の中央位置がフレーム本体台座の固定孔に固定部を設けることによって、レンズ本体上端部の中央位置をちょうどフレーム台の制限溝に嵌め込むことができ、固定部を固定溝に締結して、結合固定できる。レンズ本体上端部がフレーム台に対応する２つのメス締め金単元の位置に、それぞれ２つの釣り合ったオス締め金単元を設ける。そのうち、各オス締め金単元の一側に斜面を設けていて、かつ、各オス締め金単元の他側にオス締め金部を設け、フレーム台の弾塑性部材によって、弾性に広げてメス締め金単元の締結空間が横方向へ弾性に広げられ、２つの締結空間と、２つのオス締め金部２点の締結余裕度を増せると同時に、レンズ本体にある２つのオス締め金単元の斜面と、メス締め金単元の誘導面と表面接触により滑り働きを形成し、オス締め金部を順調にメス締め金部に嵌め込め、フレーム台が弾性に元位置に戻し後に、レンズ本体のオス締め金をフレーム本体のメス締め金部に嵌め込む。
【発明の効果】
【０００５】
本発明の独特な創造的設計によれば、フレーム本体のフレーム台を弾塑性部材に仕上げることによって、弾性に広げることができ、メス締め金単元の締結空間が横方向へ弾性に広げて、２つの締結空間と、レンズ本体にある２つのオス締め金部の２点に対向する締め付け余裕を構成され、中央固定部とを合わせて３点に連結固定することによって、フレーム本体と、レンズ本体との組立が便利となり、組立効率を向上でき、本発明のフレーム本体コンポーネント構造が単純で、しかもコストを大幅に軽減でき、公知技術のフレーム構造が複雑で、しかも構成部品が多いために解体や損傷し易く、使用者の顔部に傷つける欠点を解消できる。
【図面の簡単な説明】
【０００６】
【図１】公知メガネフレームの構造による立体組立図である。
【図２】公知メガネフレームの構造による立体分解図である。
【図３】本発明のメガネフレームの構造による立体組立図である。
【図４】本発明のメガネフレームの構造による立体分解図である。
【図５】本発明のメガネフレームの構造もう一つの角度による立体分解図である。
【図６】本発明のメガネフレームの構造による分解断面図である。
【図７】本発明のメガネフレームの構造による組立動作図（その１）であり、組立前の態様を示す図である。
【図８】本発明のメガネフレームの構造による組立動作図（その２）であり、固定部の組立態様を示す図である。
【図９】本発明のメガネフレームの構造による組立動作図（その３）であり、組立環状の態様を示す図である。
【図１０】図９のｘ−ｘ線に沿った断面動作図（その１）であり、固定素子を組立前の態様を示す図である。
【図１１】図９のｘ−ｘ線に沿った断面動作図（その２）であり、固定素子を組立てた態様を示す図である。
【図１２】図９のｙ−ｙ線に沿った断面図である。
【発明を実施するための形態】
【実施例】
【０００７】
図３〜１２、本発明のメガネフレームの構造による好ましい実施例を参照する。ただし、これらの実施例は説明の目的に提供するものであり、特許出願の範疇にはこれらの構造に拘束されないことを申し上げる。
【０００８】
フレーム体１０と、レンズ本体２０と、を備える。
【０００９】
フレーム本体１０は、弾塑性部材から仕上げるフレーム台１１と、フレーム台１１の両末端に延在するテンプル１４を含む、フレーム台１１の中央部は下向きに中間取付部１５が延在していて、かつ、中間取付部１５は下向きに制限溝１５１を開け、制限溝１５１内部の所定位置に固定溝１６を設ける。さらに、フレーム台１１の両側にメス締め金単元１２を釣り合ってそれぞれ設け、各メス締め金単元１２の内部に縦方向の開放形態の締結空間１２１を形成されている。そのうち、締結空間１２１に傾斜状の誘導面１２２を内設し、誘導面１２２の対向位置にメス締め金部１２３を設ける。引き続き、フレーム本体１０の弾性塑性を持つフレーム台１１は、超弾性の記憶樹脂ＴＲ９０部材より仕上げられている。さらに、メス締め金単元１２のメス締め金部１２３底面に誘導面１２５を形成し、メス締め金部１２３の上面に嵌め合わせ面１２４を形成する。
【００１０】
レンズ本体２０の上方に上端部２１を設け、上端部２１の中央位置がフレーム本体１０のフレーム台１１の固定溝１６に対応して固定部２３を設けることによって、レンズ本体２０上端部２１の中央位置をちょうどフレーム台１１の制限溝１５１に嵌め込むことができ、固定部２３を固定溝１６に締結し、図１２に示すように結合固定できる。さらに、レンズ本体２０の上端部２１は、フレーム台１１の２つのメス締め金単元１２に対応する位置に、２つのオス締め金単元２２をそれぞれ釣り合って設けられている。そのうち、各オス締め金単元２２の一側に斜面２２６を設けていて、かつ、各オス締め金単元２２の他側にオス締め金部２２１を設け、オス締め金部２２１の上面に案内斜面２２２を形成し、オス締め金部２２１の底面に嵌め込み係合面２２３を形成する。フレーム台１１が弾塑性部材によって、弾性に広げて、メス締め金単元１２の締結空間１２１が横方向に広げて拡大し、２つの締結空間１２１と、２つのオス締め金部２２１との締結余裕度を増やせると共に、レンズ本体２０の２つのオス締め金単元２２の斜面２２６と、メス締め金単元１２の誘導面１２２が表面接触による滑り働きによって、オス締め金部２２１を順調にメス締め金部１２３に嵌め込むことができ、嵌め込む時にオス締め金部２２１の案内斜面２２２をメス締め金部１２３の誘導面１２５に滑り込み、オス締め金部２２１の嵌め込み係合面２２３をメス締め金部１２３の嵌め合わせ面１２４に誘導し固定させる。引き続き、フレーム台１１が弾性に元位置に戻した後に、レンズ本体２０のオス締め金部２２１をさらに嵌め合わせて、図７〜９に示すようにフレーム本体１０のメス締め金部１２３に嵌め込む。
【００１１】
引き続き、フレーム本体１０のフレーム台１１が２つのメス締め金単元１２の締結空間１２１に対応する位置に第１貫通孔１３をそれぞれ設け、第１貫通孔１３の前段に径の大きい第１段差溝１３１を設け、レンズ本体２０のオス締め金単元２２が第１貫通孔１３に対応する位置に第２貫通孔２２４を設け、第２貫通孔２２４の末端に径の大きい第２段差溝２２５を設けることによって、フレーム本体１０と、レンズ本体２０を相互結合状態において、第１貫通孔１３と、第２貫通孔２２４を弾塑性部材から仕上げる固定素子３０に組み入れて更に固定して置く。そのうち、弾塑性固定素子３０は、超弾性記憶樹脂ＴＲ９０部材から仕上げられている。固定素子３０はヘッド端３１を含む、ヘッド端３１の一端に外径のやや縮小する連結柱３２を設け、連結柱３２の径方向に圧縮切り欠き３３を開け、連結柱３２の末端が圧縮切り欠き３３に対応して、締結端３４を設けることによって、固定素子３０の連結柱３２によって、圧縮切り欠き３３を内側に圧縮し、締結端３４を縮小させて、第１貫通孔１３と、第２貫通孔２２４に進入した後、締結端３４を第２貫通孔２２４の第２段差溝２２５に締結して、弾性に広げて固定され、図１０〜１１に示すように、固定素子３０のヘッド端３１を第１貫通孔１３の第１段差溝１３１に制限して置く。
【００１２】
これにより、本発明のフレーム本体１０は、フレーム台１１を弾塑性部材によって仕上げることによって、弾性に広げることができ、メス締め金単元１２の締結空間１２１が横方向へ弾性に広げて、２つの締結空間１２１と、レンズ本体２０にある２つのオス締め金部２２１の２点に対向する締め付け余裕を構成し、中央固定部２３とを合わせて３点に連結固定することによって、フレーム本体１０と、レンズ本体２０との組立が便利となり、組立効率を向上でき、本発明のフレーム本体１０のコンポーネント構造が単純で、しかもコストを大幅に軽減でき、公知技術のフレーム構造が複雑で、しかも構成部品が多いために解体や損傷し易く、使用者の顔部に傷つける欠点を解消できる。
【００１３】
前述説明をまとめると、本発明の前述構造設計によれば、公知技術の欠点を克服できるほか、さらに、前述した種々な長所と、実用価値を有している。本発明は、創意を満ちた発明考案であり、当技術分野に同様または類似する製品の創作あるいは公開使用は見られない。よって、本発明がすでに発明特許に係る新規性と、進歩性要件を満足しており、法によって出願する。
【符号の説明】
【００１４】
（公知技術）
Ａ            メガネ
Ａ１            フレーム
Ａ１１            レンズ台
Ａ１２            組付け区域
Ａ１３            組付け孔
Ａ１４            横方向係止台
Ａ１５            縦方向係止台
Ａ１６            テンプル
Ａ１７            連結コンポーネント
Ａ１８            取り付け嵌め合せ溝
Ａ１９            取付突起柱
Ａ２            レンズ
Ａ２１            嵌め込み突起部
（本発明）
１０            フレーム本体
１１            フレーム台
１２            メス締め金単元
１２１            締結空間
１２２            誘導面
１２３            メス締め金部
１２４            嵌め合わせ面
１２５            誘導面
１３            第１貫通孔
１３１            第１段差溝
１４            テンプル
１５            中間取付部
１５１            制限溝
１６            固定溝
２０            レンズ本体
２１            上端部
２２            オス締め金単元
２２１            オス締め金部
２２２            案内斜面
２２３            嵌め込み係合面
２２４            第２貫通孔
２２５            第２段差部
２２６            斜面
２３            固定部
３０            固定素子
３１            ヘッド端
３２            連結柱
３３            圧縮切り欠き
３４            締結端
【図１】
2018081126.tif 000003
【図２】
2018081126.tif 000004
【図３】
2018081126.tif 000005
【図４】
2018081126.tif 000006
【図５】
2018081126.tif 000007
【図６】
2018081126.tif 000008
【図７】
2018081126.tif 000009
【図８】
2018081126.tif 000010
【図９】
2018081126.tif 000011
【図１０】
2018081126.tif 000012
【図１１】
2018081126.tif 000013
【図１２】
2018081126.tif 000014